(57)【要約】【課題】本発明は、よりスリムなデザインを実現しながらも重量体の位置を調整することができるリフト装置を提供する。【解決手段】本発明に係るリフト装置は、壁面に設置されるブラケットと、ブラケットに移動可能に結合される移動部と、移動部に結合される巻取部と、巻取部に巻き取られるワイヤと、移動部が移動されるようにワイヤを巻き取る駆動部と、を含むことを特徴とする。【選択図】図１
2013505181.tif 000002
【特許請求の範囲】
【請求項１】
壁面に設置されるブラケットと、
前記ブラケットに、移動可能に結合される移動部と、
前記移動部に結合される巻取部と、
前記巻取部に巻き取られるワイヤと、
前記移動部が移動されるように、前記ワイヤを巻き取る駆動部と、
を含むリフト装置。
【請求項２】
前記駆動部は、前記ブラケットに結合されることを特徴とする請求項１に記載のリフト装置。
【請求項３】
前記ブラケットは、前記移動部の移動をガイドするように、上下に延長されることを特徴とする請求項２に記載のリフト装置。
【請求項４】
前記巻取部は、前記移動部に回転可能に結合される移動プーリであることを特徴とする請求項１に記載のリフト装置。
【請求項５】
前記移動プーリは、複数であり、
前記ワイヤが巻き取られるように、前記複数の移動プーリの間に介在され、前記ブラケットの一端に結合される第１固定プーリをさらに含む請求項４に記載のリフト装置。
【請求項６】
前記移動部は、前記ブラケットにより前記移動部の移動がガイドされるように、上下に延長されることを特徴とする請求項２に記載のリフト装置。
【請求項７】
前記ブラケットは、前記ブラケットが延長される方向に走行溝が形成され、
前記移動部は、
前記走行溝にスライディング可能に挿入されるガイド部材と、
内側が前記ブラケットの外側をスライディング可能にカバーする支持カバーと、を含むことを特徴とする請求項６に記載のリフト装置。
【請求項８】
前記駆動部は、前記移動部に結合されることを特徴とする請求項１に記載のリフト装置。
【請求項９】
前記ブラケットは、
前記ワイヤが巻き取られるように、前記ブラケットの一端に結合される第２固定プーリをさらに含む請求項８に記載のリフト装置。
【請求項１０】
前記ブラケットは、前記移動部の移動をガイドするように、上下に延長されることを特徴とする請求項８に記載のリフト装置。
【請求項１１】
前記ブラケットは、前記ブラケットが延長される方向にガイド溝が形成され、
前記巻取部は前記ガイド溝に、移動可能に挿入されることを特徴とする請求項１０に記載のリフト装置。
【請求項１２】
前記ブラケットの両側を支持するように、前記移動部に結合される移動ガイドローラをさらに含む請求項１０に記載のリフト装置。
【請求項１３】
前記駆動部は、前記ワイヤの両端をそれぞれ巻き取る第１駆動部及び第２駆動部を含むことを特徴とする請求項１に記載のリフト装置。
【請求項１４】
前記駆動部は、
駆動力を発生する駆動モータと、
前記駆動力を増加させる、複数の平ギアを含む平ギア部と、
前記ワイヤを巻き取るように、前記平ギア部と噛み合う巻取プーリと、を含むことを特徴とする請求項１に記載のリフト装置。
【請求項１５】
前記ワイヤが巻出されないようにするストッパをさらに含む請求項１に記載のリフト装置。
【請求項１６】
前記ストッパは、
一端が前記ワイヤに隣接して、回転可能に結合される加圧バーと、
前記加圧バーの一端が前記ワイヤをホーディングするように、前記加圧バーの他端に圧力を提供するアクチュエータ部と、を含むことを特徴とする請求項１５に記載のリフト装置。
【請求項１７】
前記駆動部に巻き取られる前記ワイヤをガイドする巻取ガイドプーリをさらに含む請求項１に記載のリフト装置。
【請求項１８】
前記駆動部に動作パルス信号を印加して制御する制御部をさらに含む請求項１に記載のリフト装置。
【請求項１９】
前記制御部は、
前記移動部が前記ブラケットの移動範囲の上限点と下限点との間を移動する間に、前記動作パルス信号をカウントすることを特徴とする請求項１８に記載のリフト装置。
【請求項２０】
前記ブラケットの上側の前記上限点に結合されるリミットスイッチをさらに含み、
前記制御部は、前記リミットスイッチの前記移動部の位置信号により前記上限点を認識することを特徴とする請求項１９に記載のリフト装置。
【請求項２１】
前記制御部は、使用者の入力により前記下限点を認識することを特徴とする請求項２０に記載のリフト装置。
【請求項２２】
前記移動部の上面には、両側に延長されるハンガー溝が形成されることを特徴とする請求項１に記載のリフト装置。
【発明の詳細な説明】
【技術分野】
【０００１】
本発明は、リフト装置に関する。
【背景技術】
【０００２】
ＬＣＤテレビやＰＤＰテレビのように平板型ディスプレイ装置は、狭い空間を効率的に使用できるという長所から、ブラウン管テレビを代替しているし、今後ともその需要は増える見込みである。このような平板型ディスプレイ装置は主に壁面に設置されて、室内空間の活用や、美麗な外観を得ることができる。
【０００３】
最近、このような平板型ディスプレイ装置が薄型化になるにつれて、平板型ディスプレイ装置を壁面に設置するための支持装置も薄型化あるいはスリム化になって行く趨勢にある。
【０００４】
特に、その内部に電動装置が備えられており、自動で平板型ディスプレイ装置の位置を調整することができる支持装置は、平板型ディスプレイ装置の大型化の趨勢に伴って、より大きな駆動力を具備することが求められている。
【０００５】
つまり、平板型ディスプレイ装置が壁面から大きく離隔しないように、薄型の形態を有しながらも、より大きな駆動力を具備した支持装置が望まれている。
【０００６】
しかし、支持装置の駆動力を高めるためには、より大きなトルクを得ることができる駆動部を具備しなければならないが、これは支持装置の薄型化に障害となっており、支持装置の薄型化に技術的障壁として作用している。
【発明の概要】
【発明が解決しようとする課題】
【０００７】
本発明は、よりスリムな形態を有しながらも重量体の位置を調整することができるリフト装置を提供することを目的とする。
【課題を解決するための手段】
【０００８】
本発明の一側面によれば、壁面に設置されるブラケットと、ブラケットに移動可能に結合される移動部と、移動部に結合される巻取部と、巻取部に巻き取られるワイヤと、移動部が移動されるようにワイヤを巻き取る駆動部と、を含むリフト装置が提供される。
【０００９】
ここで、駆動部は、ブラケットに結合可能であり、ブラケットは移動部の移動をガイドするように、上下に延長されることができる。
【００１０】
巻取部は、移動部に回転可能に結合される移動プーリであってもよく、この場合、移動プーリは複数であり、リフト装置はワイヤが巻き取られるように複数の移動プーリの間に介在され、ブラケットの一端に結合される第１固定プーリをさらに含むことができる。
【００１１】
また、移動部は、ブラケットにより移動部の移動がガイドされるように、上下に延長されることができ、ブラケットには、ブラケットが延長される方向へ走行溝が形成され、移動部は走行溝にスライディング可能に挿入されるガイド部材と、内側がブラケットの外側をスライディング可能にカバーする支持カバーとを含むことができる。
【００１２】
一方、駆動部は、移動部に結合可能であり、ブラケットは、ワイヤが巻き取られるようにブラケットの一端に結合される第２固定プーリをさらに含むことができ、この場合、ブラケットは移動部の移動をガイドするように、上下に延長されることができる。
【００１３】
そして、ブラケットには、ブラケットが延長される方向にガイド溝が形成され、巻取部は、ガイド溝に移動可能に挿入されることができる。また、リフト装置は、ブラケットの両側を支持するように移動部に結合される移動ガイドローラをさらに含むことができる。
【００１４】
一方、駆動部は、ワイヤの両端をそれぞれ巻き取る第１駆動部及び第２駆動部を含むことができ、駆動部は、駆動力を発生させる駆動モータと、駆動力を増加させる複数の平ギアを含む平ギア部と、ワイヤを巻き取るように平ギア部と噛み合う巻取プーリと、を含むことができる。
【００１５】
一方、リフト装置は、ワイヤが巻出されないようにするストッパをさらに含むことができ、ストッパは、一端がワイヤに隣接して回転可能に結合される加圧バーと、加圧バーの一端がワイヤをホールディングするように加圧バーの他端に圧力を提供するアクチュエータ部と、を含むことができる。
【００１６】
一方、駆動部に巻き取られるワイヤをガイドする巻取ガイドプーリをさらに含むことができる。
【００１７】
リフト装置は、駆動部に動作パルス信号を印加して制御する制御部をさらに含むことができ、制御部は、移動部がブラケットの移動範囲の上限点と下限点との間を移動する間に、動作パルス信号をカウントすることができる。
【００１８】
また、リフト装置は、ブラケットの上側の上限点に結合されるリミットスイッチをさらに含み、制御部はリミットスイッチの移動部の位置信号により上限点を認識することができる。
【００１９】
また、制御部は使用者の入力により下限点を認識することができる。
【００２０】
一方、移動部の上面には、両側に延長されるハンガー溝が形成されてもよい。
【発明の効果】
【００２１】
本発明の実施例によれば、よりスリムなデザインを実現しながらも重量体の位置を調整することができる。
【図面の簡単な説明】
【００２２】
【図１】本発明の第１実施例に係るリフト装置を示す正面図である。
【図２】本発明の第１実施例に係るリフト装置の一部を示す背面図である。
【図３】本発明の第１実施例に係るリフト装置が設置された様子を示す側面図である。
【図４】本発明の第１実施例に係るリフト装置の動作を示す背面図である。
【図５】本発明の第１実施例に係るリフト装置の動作を示す背面図である。
【図６】本発明の第１実施例に係るリフト装置のストッパの動作を示す部分拡大図である。
【図７】本発明の第１実施例に係るリフト装置のストッパの動作を示す部分拡大図である。
【図８】本発明の第２実施例に係るリフト装置を示す正面図である。
【図９】本発明の第２実施例に係るリフト装置が設置された様子を示す側面図である。
【図１０】本発明の第２実施例に係るリフト装置の一部を示す正面図である。
【図１１】本発明の第３実施例に係るリフト装置を示す正面図である。
【図１２】本発明の第４実施例に係るリフト装置を示す正面図である。
【図１３】本発明の第５実施例に係るリフト装置を示す斜視図である。
【図１４】本発明の第５実施例に係るリフト装置の使用状態を示す斜視図である。
【図１５】本発明の第５実施例に係るリフト装置を示す分解正面図である。
【図１６】本発明の第５実施例に係るリフト装置の移動部本体を示す斜視図である。
【図１７】本発明の第５実施例に係るリフト装置の一部を示す分解斜視図である。
【図１８】本発明の第５実施例に係るリフト装置の一部を示す分解正面図である。
【発明を実施するための形態】
【００２３】
本発明の特徴、利点は以下の図面及び発明の詳細な説明から、より明確になる。
【００２４】
以下、本発明によるリフト装置の実施例を添付図面を参照して詳細に説明し、添付図面を参照して説明することにおいて、同一または対応する構成要素には同一の図面番号を付し、これに対する重複説明は省略する。
【００２５】
図１は、本発明の第１実施例に係るリフト装置１０００を示す正面図であり、図２は、本発明の第１実施例に係るリフト装置１０００の一部を示す背面図である。図１及び図２に示すように、本発明の第１実施例に係るリフト装置１０００は、ブラケット３００、移動部１００、ワイヤ１０５、及び駆動部１１０，１２０を含むことにより、よりスリムなデザインを実現しながらも重量体の位置を調整することができる。
【００２６】
リフト装置１０００とは、重量体を壁面２０に設置させ、その位置を調整することができる装置をいう。重量体とは、例えば、大型平面型テレビのように映像物を表示するディスプレイ装置であってもよい。この場合、リフト装置１０００は、ディスプレイ装置１０の設置高さを調整できるディスプレイ用リフト装置１０００であることができる。
【００２７】
ブラケット３００は、そのものが壁面２０に設置されて、リフト装置１０００とディスプレイ装置１０とを壁面２０に設置することを可能とさせる。ブラケット３００は移動部１００の移動をガイドするために、上下に延長される形態を有してもよい。この場合、ブラケット３００は、移動部１００の移動をガイドする一種のガイドバーのような機能を果たすことができる。
【００２８】
ブラケット３００は、壁面に設置されるための、ねじ孔または壁面２０に設置可能な締結構造を具備してもよい。
【００２９】
ブラケット３００の内部には、ブラケット３００の延長される方向にガイド溝３１０（ｇｕｉｄｅ  ｈａｌｌ）が形成されてもよい。ガイド溝３１０の内部には、後述する移動プーリ１１５が移動可能に挿入されており、ガイド溝３１０の内壁が移動プーリ１１５の両側を支持することにより、移動部１００の移動をより安定に実現することができる。
【００３０】
ブラケット３００の上端には、プーリフレーム（ｐｕｌｌｅｔ  ｆｒａｍｅ）４００が結合されてもよい。プーリフレーム４００には、固定プーリ４１０，４２０が回転可能に結合可能である。固定プーリ４１０，４２０にはワイヤ１０５が巻き取られ、ワイヤ１０５は、固定プーリ４１０，４２０によりその移動方向が逆になる。
【００３１】
固定プーリ４１０，４２０は、その間に後述する移動部１００の移動プーリ１１５が配置されるように、プーリフレーム４００の両側に２つが離隔して結合されてもよい。
【００３２】
移動部１００は、ブラケット３００において、移動可能に結合されることができる。図２に示すように、移動部１００の一面は、ディスプレイ装置１０と結合可能であり、他面は、ブラケット３００と結合可能である。つまり、移動部１００は、ディスプレイ装置をブラケット３００に移動可能に結合させることができる。
【００３３】
移動部１００の中央には、ワイヤ１０５が巻き取られる巻取部、すなわち移動プーリ１１５が回転可能に結合可能である。すなわち、移動プーリ１１５は、移動部１００の他面に形成されたシャフトに回転可能に結合可能である。この場合、当該シャフトはガイド溝３１０に移動可能に挿入されることができる。これにより、移動プーリ１１５はガイド溝３１０に、移動可能に挿入されることができる。
【００３４】
移動部１００には、ブラケット３００の両側を支持する移動ガイドローラ１１１が回転可能に結合可能である。移動ガイドローラ１１１がブラケット３００の両側を支持することにより、移動部１００がより安定に上下移動を実現することができる。
【００３５】
ワイヤ１０５は、移動部１００が移動可能となるように、上述した移動プーリ１１５と固定プーリ４１０，４２０とに巻き取られることができる。ワイヤ１０５の中央部は移動部１００を支持するために、移動プーリ１１５に巻き取られ、その両側はワイヤ１０５の両端が下向きに配置されるように、固定プーリ４１０，４２０に巻き取られることができる。
【００３６】
そして、ワイヤ１０５の両端はブラケット３００と移動ガイドローラ１１１との間を経て、第１駆動部１１０及び第２駆動部１２０に巻き取られることができる。この場合、移動ガイドローラ１１１の外周面には、ワイヤ１０５を巻き取ることができるように移動ガイドローラ１１１の円周方向に溝が形成されてもよい。すなわち、移動ガイドローラ１１１は一種のプーリの役割を果たすことができる。
【００３７】
移動部１００の両側には、第１駆動部１１０及び第２駆動部１２０が結合可能である。駆動部１１０，１２０は、ワイヤ１０５を巻き取ることにより、移動部１００を移動させることができるものである。第１駆動部１１０及び第２駆動部１２０は、ワイヤ１０５の両端をそれぞれ巻き取ることにより、より増加した駆動力を移動部１００に提供することができる。
【００３８】
そして、リフト装置１０００は、移動部１００により発生される荷重を第１駆動部１１０及び第２駆動部１２０にそれぞれ分散させて、第１駆動部１１０及び第２駆動部１２０に付加される容量を低減することができる。
【００３９】
第１及び第２駆動部１１０，１２０は、駆動モータ１１２、平ギア部１１４及び巻取プーリ１１６を含むことができる。
【００４０】
駆動モータ１１２は、駆動力を発生させ、これを平ギア部１１４に伝達することができる。平ギア部１１４は、互いに平行に配置される複数の平ギアを含み、平ギア部１１４を通す間に駆動モータ１１２の駆動力は増加されることができる。
【００４１】
一方、駆動部はカバー１２１により遮蔽されることができる。
【００４２】
図３は、本発明の第１実施例に係るリフト装置１０００が設置された様子を示す側面図である。図３に示すように、平ギア部１１４は、駆動モータ１１２の駆動力を増加させながらも駆動部１１０，１２０の厚さの増加を防止でき、さらに、リフト装置１０００の薄型化を図ることができる。
【００４３】
また、巻取プーリ１１６は、平ギア部１１４と噛み合い、ワイヤ１０５が巻き取られることになる。巻取プーリ１１６も平ギアと平行に配置されて、駆動部１１０，１２０の厚さの増加を防止することができる。
【００４４】
図４及び図５は、本発明の第１実施例に係るリフト装置１０００の動作を示す背面図である。図４及び図５に示すように、移動部１００がブラケット３００の下端に配置されている状態で、第１駆動部１１０及び第２駆動部１２０が作動してワイヤ１０５を巻き取ると、移動プーリ１１５が上昇することになる。これにより、移動プーリ１１５の結合されている移動部１００が上昇することになり、移動部１００に結合されるディスプレイ装置１０が上昇できるようになる。
【００４５】
上述したように、リフト装置１０００は、ワイヤ１０５と移動プーリ１１５とを用いて一種の動滑車（ｍｏｖｉｎｇ  ｐｕｌｌｅｙ）のような動力伝達構造を備えることにより、ディスプレイ装置１０を昇降させるのに、より小さな容量を有する動力源を適用できるようになる。
【００４６】
すなわち、リフト装置１０００は、より効率的な動力伝達構造を備えることにより、より小さな容量の駆動モータ１１２を用いることができ、その上、平ギア部１１４を用いることにより、駆動部１１０，１２０の動力伝達効率をより向上させて、薄型化された形態を有することができる。
【００４７】
図６及び図７は、本発明の第１実施例に係るリフト装置１０００のストッパ２００の動作を示す部分拡大図である。図６及び図７に示すように、ストッパ２００は、移動部１００が停止している間には、巻取プーリに巻き取られているワイヤ１０５の巻出を防止して、外部衝撃による駆動部１１０，１２０の損傷を防止することができる。
【００４８】
ストッパ２００は、加圧バー２２０、アクチュエータ部２１０を含むことができる。加圧バー２２０は、一端が移動ガイドローラ１１１に隣接して、回転軸２４０を中心として回転可能に移動部１００に結合可能である。
【００４９】
加圧バー２２０の一端のワイヤ１０５と対向する部分には、摩擦部材２３０が結合可能である。摩擦部材２３０としては、例えば、ラバー（ｒｕｂｂｅｒ）のように、その表面の摩擦力が大きな材質を用いることができる。
【００５０】
加圧バー２２０の他端には、アクチュエータ部２１０が結合可能である。アクチュエータ部２１０としては、例えば、ソレノイドのような駆動源を用いることができる。
【００５１】
図６に示すように、駆動部１１０，１２０が動作してワイヤ１０５が巻取プーリ１１６に巻取または巻出される間に、アクチュエータ部２１０は後退してワイヤ１０５の移動を円滑にさせる。
【００５２】
しかし、図７に示すように、駆動部１１０，１２０が動作しなく、移動部１００が停止している際に、アクチュエータ部２１０が進んで加圧バー２２０の他端を回転させると、加圧バー２２０の一端は回転軸２４０を中心にして回転することになり、摩擦部材２３０はワイヤ１０５を移動ガイドローラ１１１側に加圧することができる。したがって、ワイヤ１０５は、移動ガイドローラ１１１と加圧バー２２０との間に介在され、加圧バー２２０によりホールディングされる。この場合、移動部１００に外部の衝撃や荷重が加えられても、ワイヤ１０５はストッパ２００によってホールディングされるため、巻取プーリ１１６から巻出されることが防止され、駆動部１１０，１２０を保護することができる。
【００５３】
図８は、本発明の第２実施例に係るリフト装置２０００を示す正面図であり、図９は、本発明の第２実施例に係るリフト装置２０００が設置された様子を示す側面図である。図８及び図９に示すように、本発明の第２実施例に係るリフト装置２０００は、ブラケット３００の一端に結合される駆動部１１０，１２０を含むことにより、よりスリムなデザインを実現しながらもディスプレイ装置１０の位置を調整することができる。
【００５４】
ブラケット３００は壁面２０に設置され、ブラケット３００の上端には駆動フレーム４５０が結合されてもよい。駆動フレーム４５０には第１駆動部１１０及び第２駆動部１２０が結合可能である。
【００５５】
このとき、ブラケット３００は、前面ガイドバー３４０と後面ガイドバー３５０とを含むことができ、移動部１００は、前面ガイドバー３４０と後面ガイドバー３５０との間に介在されることにより、ブラケット３００の上下に移動可能に結合されることが可能である。
【００５６】
つまり、本実施例のリフト装置２０００は、第１駆動部１１０及び第２駆動部１２０がブラケット３００の一端に配置されることにより、ディスプレイ装置１０の背面に配置される移動部１００をより薄く形成することができ、ディスプレイ装置１０を壁面２０に、より密着して設置可能となり、より向上された外観を使用者に提供することができる。
【００５７】
図１０は、本発明の第２実施例に係るリフト装置２０００の一部を示す正面図である。図１０に示すように、ブラケット３００の上端に駆動フレーム４５０が結合され、駆動フレーム４５０には固定プーリ４１５が結合可能である。
【００５８】
移動部１００には、例えば２つの移動プーリ１１５が回転可能に結合可能である。この場合、ワイヤ１０５の中央部は固定プーリ４１０，４２０に巻き取られることになり、その両側は、移動部１００の荷重を支持するように移動プーリ１１５にそれぞれ巻き取られることができる。
【００５９】
ワイヤ１０５の両端は、第１駆動部１１０及び第２駆動部１２０にそれぞれ巻き取られ、第１駆動部１１０及び第２駆動部１２０と移動プーリ１１５との間には巻取ガイドプーリ１３０が、駆動フレーム４５０に回転可能に結合されて、第１駆動部１１０及び第２駆動部１２０にそれぞれ巻き取られるワイヤ１０５の両端をガイドすることができる。
【００６０】
つまり、リフト装置２０００は、ワイヤ１０５と移動プーリ１１５とを用いて一種の動滑車のような動力伝達構造を備えるとともに、第１駆動部１１０及び第２駆動部１２０をブラケット３００の一端に配置することにより、ディスプレイ装置１０の背面のリフト装置２０００の構造を単純化させることができ、ディスプレイ装置１０を壁面２０へより近接して設置することができる。
【００６１】
図１１は、本発明の第３実施例に係るリフト装置３０００を示す正面図である。図１１に示すように、本実施例のリフト装置３０００は固定プーリ４１０，４２０を省略し、ワイヤ１０５が移動部１００の荷重を支持するように移動プーリ１１５に巻き取られており、そのワイヤ１０５の両端を第１駆動部１１０及び第２駆動部１２０に巻き取ることにより、第１駆動部１１０と第２駆動部１２０との間に介在されるワイヤ１０５の移動経路を短縮することができ、これにより、ワイヤ１０５の巻取速度を増加させることができ、さらに移動部１００の移動速度を向上させることができる。
【００６２】
図１２は、本発明の第４実施例に係るリフト装置４０００を示す正面図である。本実施例のリフト装置４０００は、上述した本発明の第３実施例のリフト装置３０００にリミットスイッチ６００、セットアップスイッチ６５０、及び制御部（図示せず）をさらに含むことができる。
【００６３】
リミットスイッチ６００は、移動部１００の移動範囲において、移動部１００の移動上限点を認識できる構成であってもよい。リミットスイッチ６００は、ブラケット３００の上側の駆動フレーム４５０の下端に結合されて、移動部１００がブラケット３００の上端に到逹すると、移動部１００の位置を制御部に送信することができる。
【００６４】
制御部は、第１駆動部１１０、第２駆動部１２０、リミットスイッチ６００及び後述するセットアップスイッチ６５０に電気的に接続可能である。制御部は、第１駆動部１１０及び第２駆動部１２０に動作信号を印加する一種のマイクロコントロールユニット（ｍｉｃｒｏ  ｃｏｎｔｒｏｌ  ｕｎｉｔ）であってもよい。
【００６５】
第１駆動部１１０及び第２駆動部１２０の駆動モータ１１２が、例えば、ＢＬＤＣモータ（ｂｒｕｓｈｌｅｓｓ  ＤＣ  ｍｏｔｏｒ）である場合、制御部は、駆動モータ１１２に動作パルス信号を印加して第１駆動部１１０及び第２駆動部１２０を動作させることができる。
【００６６】
セットアップスイッチ６５０は、使用者が移動部１００の移動範囲において、移動部１００の移動下限点をリフト装置４０００に入力するための構成であってもよい。セットアップスイッチ６５０は、駆動フレーム４５０の側面に結合可能である。
【００６７】
リフト装置４０００が壁面２０に設置されると、使用者はリフト装置４０００を動作させることができる。この場合、セットアップスイッチ６５０がリフト装置４０００の動作スイッチを兼ねることができる。つまり使用者は、リフト装置４０００の設置後に、セットアップスイッチ６５０を用いて最初動作させることができる。
【００６８】
セットアップスイッチ６５０からリフト装置４０００の動作信号が制御部に伝達されると、制御部は、移動部１００が上昇するように、駆動モータ１１２に動作パルス信号を印加することができる。動作パルス信号とは、制御部が駆動モータ１１２を駆動させるために、制御部が駆動モータ１１２に印加するパルス信号といえる。
【００６９】
上記動作パルス信号により移動部１００が上昇し、移動部１００がリミットスイッチ６００をタッチすると、制御部は、リミットスイッチ６００が制御部に送信する移動部１００の位置信号により移動部１００の移動上限点を認識することができる。
【００７０】
その後、制御部は、移動部１００が下降するように、駆動モータ１１２に動作信号を印加することができる。このような動作パルス信号により移動部１００が下降し、使用者は、移動部１００が下限点として設定しようとする位置に到逹すると、セットアップスイッチ６５０を用いて移動部１００の移動下限点を制御部に入力することができる。
【００７１】
このとき、制御部は、移動部１００が上限点から下限点へ移動する間に、駆動モータ１１２に印加した動作パルス信号の個数をカウントすることができ、制御部は該動作パルス信号の個数を用いて上限点と下限点との間の距離を認識することができる。
【００７２】
次に、制御部は、移動部１００が上昇するように駆動モータ１１２に動作パルス信号を送信でき、移動部１００は再び上昇できるようになる。制御部は、移動部１００が上限点と下限点との間に位置する場合（例えば、上限点と下限点との間の中間に位置する場合）、第１駆動部及び第２駆動部１１０，１２０に動作パルス信号を印加することを中止して移動部１００の移動を停止させ、リフト装置４０００のセットアップ動作を停止させることができる。
【００７３】
以後、使用者がリフト装置４０００の移動部１００の上下位置を調整する場合、制御部は、移動部１００が上限点と下限点を移動する間に駆動モータ１１２に印加した動作パルス信号の総数から、使用者により駆動モータ１１２に印加された動作パルス信号を加減して、移動部１００の現在位置を認識することができる。
【００７４】
例えば、使用者がリフト装置４０００の移動部１００の第１位置と第２位置とを設定する場合、制御部は、移動部１００が上限点と下限点を移動する間に駆動モータ１１２に印加した動作パルス信号の総数から第１位置及び第２位置へ移動するための動作パルス信号の数を加減して、使用者により任意に設定された位置（第１位置または第２位置）を保存することができる。
【００７５】
図１３は、本発明の第５実施例に係るリフト装置５０００を示す斜視図であり、図１４は、本発明の第５実施例に係るリフト装置５０００の使用状態を示す斜視図であり、図１５は、本発明の第５実施例に係るリフト装置５０００を示す分解正面図である。
【００７６】
図１３ないし図１５に示すように、本発明の第５実施例に係るリフト装置５０００は、第１駆動部１１０及び第２駆動部１２０がブラケット３００に結合され、移動部１００がディスプレイ装置１０の背面に結合され、ブラケット３００により上下に移動可能に支持されて、ディスプレイ装置１０を上下に移動させることができる。
【００７７】
本実施例の移動部１００は、移動部本体１４０、ハンガー部１４２及び巻取部１１５を含むことができる。移動部本体１４０は、ブラケット３００により移動部１００の移動がガイドされるように、上下に延長される形態を有してもよい。
【００７８】
移動部本体１４０の上端には、ハンガー部１４２が結合される。ハンガー部１４２は、移動部本体１４０の両側に延長される形態を有し、その上面にはハンガー部１４２が延長される方向に延長形成されるハンガー溝１４４が形成されてもよい。
【００７９】
図１４に示すように、ディスプレイ装置１０の背面には、固定端１４により固定される固定ワイヤ１２が結合可能であり、ハンガー溝１４４に固定ワイヤ１２がかけられることにより、ディスプレイ装置１０はリフト装置５０００に容易に設置可能となる。
【００８０】
図１５に示すように、移動部１００のベース３０２の両側には、第１駆動部１１０及び第２駆動部１２０が結合可能である。移動部１００のベース３０２の両側には固定プーリ４１０，４２０が結合可能である。
【００８１】
ワイヤ１０５は、移動部１００の下端の巻取部１１５と固定プーリ４１０，４２０を経て第１駆動部１１０及び第２駆動部１２０の巻取プーリ１１６に巻き取られることができる。
【００８２】
この場合、ワイヤ１０５は、巻取部１１５と固定プーリ４１０，４２０により、動滑車の形態で巻き取られて、第１駆動部１１０と第２駆動部１２０の駆動力をより効率的に移動部１００に伝達することができる。
【００８３】
これにより、第１駆動部１１０及び第２駆動部１２０の駆動モータ１１２の容量と大きさを低減でき、移動部１００の薄型化を実現することができる。
【００８４】
図１６は、本発明の第５実施例に係るリフト装置５０００の移動部本体を示す斜視図であり、図１７は、本発明の第５実施例に係るリフト装置５０００の一部を示す分解斜視図であり、図１８は、本発明の第５実施例に係るリフト装置５０００の一部を示す分解正面図である。
【００８５】
図１６に示すように、移動部本体１４０の中央には、移動部の本体１４０が延長される方向に走行溝１４１が形成されてもよい。ブラケット３００のベース３０２の中央には、上下に延長される形態を有するガイド部材３０４が結合可能である。
【００８６】
ガイド部材３０４は、走行溝１４１に挿入され、走行溝１４１の内周面をスライディングすることができる。つまり、移動部１００はブラケット３００に移動可能に結合され、ブラケット３００は移動部１００の移動をガイドすることができる。
【００８７】
図１７及び図１８に示すように、ガイド部材３０４と移動部本体１４０は、移動部本体１４０がスライディング可能となるように支持カバー（ｓｕｐｐｏｒｔｉｎｇ  ｃｏｖｅｒ）６００により移動部本体１４０を支持することができる。支持カバー６００は上面カバー６２０と側面カバー６１０を含むことができる。
【００８８】
側面カバー６１０は、移動部本体１４０の両側を支持するようにブラケット３００のベース３０２に結合され、上面カバー６２０は両方の側面カバー６１０の上面をカバーするようにブラケット３００のベース３０２に結合されることができる。
【００８９】
以上では、発明の好ましい実施例を参照して説明したが、当該技術分野で通常の知識を有する者であれば本発明の特許請求の範囲に記載した本発明の思想及び領域から逸脱しない範囲内で本発明を多様に修正及び変更させることができることを理解できよう。
【符号の説明】
【００９０】
１００  移動部
２００  ストッパ
３００  ブラケット
４００  プーリプレイ
４５０  駆動フレーム
１０００、２０００、３０００、４０００、５０００  リフト装置
【図１】
2013505181.tif 000003
【図２】
2013505181.tif 000004
【図３】
2013505181.tif 000005
【図４】
2013505181.tif 000006
【図５】
2013505181.tif 000007
【図６】
2013505181.tif 000008
【図７】
2013505181.tif 000009
【図８】
2013505181.tif 000010
【図９】
2013505181.tif 000011
【図１０】
2013505181.tif 000012
【図１１】
2013505181.tif 000013
【図１２】
2013505181.tif 000014
【図１３】
2013505181.tif 000015
【図１４】
2013505181.tif 000016
【図１５】
2013505181.tif 000017
【図１６】
2013505181.tif 000018
【図１７】
2013505181.tif 000019
【図１８】
2013505181.tif 000020
【国際調査報告】
2013505181.tif 000021
2013505181.tif 000022
2013505181.tif 000023
2013505181.tif 000024